(57)【特許請求の範囲】
【請求項１】
容器と、容器口部に嵌合され、計量室と、該計量室と容器内部とを連通する連通部とを具えた中栓と、容器口部に螺合されるキャップとを備えた計量注出容器であって、
計量室は、上端に注出口唇部を形成した外周筒と底壁および内周筒とからなり、
連通部は、内周筒の上端に連続する上壁の内周から垂設され、上部を係止筒部とし、その下部に連通孔を穿設し、下端に連通開閉部材の支持筒を連設した連通筒を具えており、
連通開閉部材は、外周が連通筒に嵌合する皿体と、皿体の中央部に垂設され、支持筒下端の底壁に形成された開口に嵌挿される軸筒とを具え、皿体と支持筒との間に弾装されたばねによって上方に付勢されており、
キャップは、頂壁下面に前記連通開閉部材の上面に係合する操作杆と中栓の注出口唇部を密封する密封リングとを具えており、
操作杆は、軸体と、その外周面に突設された軸方向に延びる複数のリブとからなっていることを特徴とする定量液注出容器。
【発明の詳細な説明】
【０００１】
【発明の属する技術分野】
本発明は、定量液注出容器、特に容器内と計量室との連通路を開閉自在とした定量液注出容器に関する。
【０００２】
【発明が解決しようとする課題】
容器内に計量室を設けた定量液注出容器において、計量室と、該計量室と容器内部との連通路を開閉する開閉部材を設けた連通部とを備えた中栓を容器口部に嵌合し、ねじキャップの頂壁に開閉部材に係合する断面円形の操作杆を垂設し、ねじキャップの開閉に応じて開閉部材を上下動させ、連通路を開閉するようにした定量液注出容器は、従来より提案されている。
【０００３】
上記従来の容器においては、操作杆は、ねじキャップの頂壁の中央から垂設され、ねじキャップの廻動に応じて、廻動しながら開閉部材に接触するようになっている。
しかしながら、容器口部のねじとキャップのねじとの間には遊びがあるので、操作杆が傾斜して開閉部材に接触することもあり、そのときには曲げモーメントが働くので、操作杆の直径を太くして一定の強度をもたせなければならないという問題があった。
【０００４】
操作杆の先端は、キャップの半分ぐらいの高さの位置にあるので、キャップが開かれているときに、外部から操作杆に触れることができ、好奇心から操作杆に触れ力を入れて先端を押圧したり、軸体を曲げたりした場合に、操作杆自体は細い軸体であるので、折れ曲がるおそれがあった。
また、強度を上げるため軸体を太くすると液の流路が狭くなり、機能に支障をきたすことになり、不都合が生じる。
【０００５】
本発明は、上記問題を解決することを課題として、計量室への連通路を開閉する開閉部材に係合する操作杆をねじキャップの頂壁に垂設し、キャップの上下動に応じて計量室への連通路を開閉させるようにした定量液注出容器において、操作杆を、軸体に軸方向に延びるリブを付設することによって補強した液注出容器を提供することを目的とする。
【０００６】
【課題を解決するための手段】
本発明は、上記の課題を解決するため、定量液注出容器として、容器と、容器口部に嵌合され、計量室と、該計量室と容器内部とを連通する連通部とを具えた中栓と、容器口部に螺合されるキャップとを備えた計量注出容器であって、計量室は、上端に注出口唇部を形成した外周筒と底壁および内周筒とからなり、連通部は、内周筒の上端に連続する上壁の内周から垂設され、上部を係止筒部とし、その下部に連通孔を穿設し、下端に連通開閉部材の支持筒を連設した連通筒を具えており、連通開閉部材は、外周が連通筒に嵌合する皿体と、皿体の中央部に垂設され、支持筒下端の底壁に形成された開口に嵌挿される軸筒とを具え、皿体と支持筒との間に弾装されたばねによって上方に付勢されており、キャップは、頂壁下面に前記連通開閉部材の上面に係合する操作杆と中栓の注出口唇部を密封する密封リングとを具えており、操作杆は、軸体と、その外周面に突設された軸方向に延びる複数のリブとからなっていることを特徴とする構成を採用する。
【０００７】
【発明の実施の形態】
次に、本発明の第１実施形態について、図面を参照して説明する。
図１において、Ａは容器、Ｂは中栓、Ｃは中栓Ｂの連通部に嵌挿された連通開閉部材、Ｄはキャップであり、容器Ａはガラスまたは合成樹脂、中栓Ｂその他はいずれも合成樹脂によって成形されている。
【０００８】
容器Ａは、口部１と短辺側の側面の上部を傾斜させた角形の胴部２、および底部３とからなっている。
内容液として、容器Ａ内には、薬液、化粧料などが収納されている。
口部１には、上端外周縁に係合突条４が突設され、その下方に、ねじ５とネックリング６が螺設されている。
【０００９】
図２に示すように、中栓Ｂは、計量室Ｂ１と嵌合部Ｂ２、連通部Ｂ３とからなっている。
計量室Ｂ１は、外周筒１０と底壁１１と内周筒１２とからなり、外周筒１０の上端には、外方に拡径された注出口唇部１３が形成されている。
【００１０】
外周筒１０の上方所定位置には、外方に突出する上壁１４と上壁外周縁から垂設され、下端に係合突条１５を突設した係合筒１６とからなる嵌合部Ｂ２が形成されている。
内周筒１２の上端には、内方に延びる上壁１７が連設され、その内周縁から上部を係止筒部１８として、その下方に複数の連通孔１９を刻設した連通筒２０が垂設されている。
【００１１】
連通筒２０の下端部内側には、有底の支持筒２１が連設され、支持筒２１下端の底壁２２には、開口２３が穿孔されている。
前記連通筒２０と支持筒２１によって中栓Ｂの連通部Ｂ３が形成され、連通部Ｂ３には、連通開閉部材Ｃが嵌挿されている。
【００１２】
連通開閉部材Ｃは、外周が前記連通筒２０に嵌合する皿体２４と、該皿体２４の中央部に垂設され、開口２３に嵌挿される軸筒２５とを具えており、軸筒２５の下端には、底壁２２下面に接合し、開口２３を密封する閉塞環２６が突設されている。
皿体２４と支持筒２１の底壁２２との間には、皿体２４を上方に付勢するばね２７が弾装されている。
【００１３】
図３に示すように、キャップＤは、頂壁３０と側周壁３１とを具えており、側周壁３１は、頂壁３０の周縁から垂設された上部周壁３２と肩壁３３、肩壁３３の周縁から垂設された下部周壁３４とからなっている。
【００１４】
頂壁３０の下面中央には、操作杆３５が垂設されており、操作杆３５は、断面円形の軸体３６と、該軸体３６の外周面に、その根本部から軸端近くまで延び、等間隔をおいて突設された複数のリブ３７とからなっている。
頂壁３０の周縁近くの下面には、中栓Ｂの注出口唇部１３に係合し、容器内部を密閉する密封リング３８が垂設されている。
下部周壁３４の内周には、容器口部１のねじ５に螺合するねじ３９が螺設されている。
【００１５】
次に、本実施形態容器の使用態様と作用効果について説明する。
キャップを閉じた場合には、操作杆３５がばね２７に抗して皿体２４を押下げ、連通孔１９の上部を開いて、キャップＤ内部と容器Ａ内部との連通路を形成する。
その状態で容器Ａを倒立させると、図４に示すように、内容液は、キャップＤ内に流入し、計量室Ｂ１内の空気は室内に残留する。
次いで、容器Ａを正立させると、計量室Ｂ１に内容液が一定量貯留され、余分な液は容器Ａ内に戻り、計量が行われる。
【００１６】
キャップＤを開くと、図５に示すように、操作杆３５による押圧が解かれ、ばね２７の付勢によって、皿体２４が連通孔１９の上方まで上昇し、皿体２４の外周縁が係止筒部１８に係合して、連通筒２０上部を封鎖し、容器Ａ内部を外部から遮断する。
注出にあたって、キャップＤを閉じた状態で容器Ａを倒立し、次いで正立させて、キャップＤを開いて、容器Ａを傾けると、計量室Ｂ１内の内容液のみを注出することができる。
【００１７】
キャップＤの開閉にあたっては、操作杆３５が傾斜して開閉部材に接触し、曲げモーメントが掛かることがあっても、操作杆３５はリブによって補強されているので、湾曲することがなく、押圧力が安定して働くようになっている。
【００１８】
【発明の効果】
本発明は、上記のように構成されているから、次の効果を奏する。
ねじキャップに、計量室と容器内部との連通路を開閉する開閉部材に係合する操作杆を設けているので、ねじキャップの廻動に応じて開閉部材を開閉することができる。
【００１９】
キャップの操作杆として、軸体とその外周に軸方向に延びる複数のリブを突設した操作杆を用いているから、操作杆自体がリブによって補強され、軸体の直径を大きくして補強する必要はなく、また、流路が狭くなることがないので、計量を良好に行うことができる。
また、キャップ開蓋時に、過失により操作杆に触れ力を加えても折れ曲がることがなくなった。
【図面の簡単な説明】
【図１】本発明容器の一部断面正面図である。
【図２】中栓とキャップの拡大説明図である。
【図３】キャップの説明図で、（ａ）は断面正面図、（ｂ）は底面図である。
【図４】キャップ閉蓋時の容器倒立状態を示す説明図である。
【図５】キャップを開蓋し、容器の正立時の説明図である。
【符号の説明】
Ａ    容器
Ｂ    中栓
Ｂ１  計量室
Ｂ２  嵌合部
Ｂ３  連通部
Ｃ    連通開閉部材
Ｄ    キャップ
１    口部
１０  外周筒
１１  底壁
１２  内周筒
１３  注出口唇部
１７  上壁
１８  係止筒部
１９  連通孔
２０  連通筒
２１  支持筒
２２  底壁
２３  開口
２４  皿体
２５  軸筒
２６  閉塞環
２７  ばね
３０  頂壁
３１  側周壁
３２  上部周壁
３３  肩壁
３４  下部周壁
３５  操作杆
３６  軸体
３７  リブ
３８  密封リング
【図１】
0004176367.tif 000002
【図２】
0004176367.tif 000003
【図３】
0004176367.tif 000004
【図４】
0004176367.tif 000005
【図５】
0004176367.tif 000006